(57)【特許請求の範囲】
【請求項１】
洗濯後の繊維に柔軟性を与える柔軟剤であって、加水分解セリシンによるまたはセリシンパウダーによるセリシンと、このセリシンが静電吸着または静電付着するカチオン性高分子とが含まれている構成とされていて、
洗濯後の水を含んでいる前記繊維に前記カチオン性高分子が静電吸着または静電付着することによりこのカチオン性高分子を介してこの繊維に付与されている前記セリシンが、この繊維と肌とが接触することからこの繊維から離脱して肌に付与されるように構成されていることを特徴とする柔軟剤。
【請求項２】
負に帯電しているあるいは負の極性を有する前記セリシンが、洗濯後の水を含んでいる前記繊維に正に帯電しているもしくは正の極性を有する前記カチオン性高分子を介して、表面が負に帯電しているもしくは負の極性を有する前記繊維に付与されるように構成されていて、
このセリシンは、前記繊維と肌とが接触することおよび数回の家庭での洗濯により前記繊維から離脱する程度の弱い静電吸着または静電付着で前記カチオン性高分子を介して前記繊維に付与されるように構成されていることを特徴とする請求項１記載の柔軟剤。
【請求項３】
前記カチオン性高分子は、カチオン系キトサン誘導体であることを特徴とする請求項１、２のいずれか１項に記載の柔軟剤。
【請求項４】
前記セリシンは、1〜３０％含まれていることを特徴とする請求項１〜３のいずれか１項に記載の柔軟剤。
【請求項５】
柔軟効果増強のためのカチオン性油性成分が含まれていることを特徴とする請求項１〜４のいずれか１項に記載の柔軟剤。
【請求項６】
保湿成分が含まれていることを特徴とする請求項１〜５のいずれか１項に記載の柔軟剤。
【請求項７】
抗菌成分が含まれていることを特徴とする請求項１〜６のいずれか１項に記載の柔軟剤。
【請求項８】
肌を修復する成分としてフィブロインが含まれていることを特徴とする請求項１〜７のいずれか１項に記載の柔軟剤。
【発明の詳細な説明】
【技術分野】
【０００１】
本発明は、シルク(繭、絹糸)から精製した加水分解セリシンやセリシンパウダーによるセリシンを弱い力で洗濯後の繊維に付与でき、そのためこのセリシンをこの繊維に触れる肌に徐々に付与させることができ、そのためたとえば繊維の肌触りの向上のみならず、その繊維に触れる肌に保湿効果や防臭効果などを付与することができる機能をも有する新機能柔軟剤に関するものである。
【背景技術】
【０００２】
シルクは、美しさ、肌触りの良さだけでなく、通気性や透湿性などに優れているため、古くから高級素材として衣料分野に利用されてきているが、近年シルクの主成分であるセリシンやフィブロインが数種類のアミノ酸で構成されているタンパク質であることから、たとえばその特性や機能性を活かして繊維に付与したり、化粧品、食品、その他非衣料分野での利活用も増えてきている。
【０００３】
たとえば、セリシンには、保湿効果、抗酸化作用による防臭効果などが知られているが、このような機能が期待できるセリシンを繊維に付与するため、カチオン系表面処理を繊維に施し、さらにセリシンによるタンパク質層を表面に形成した機能性繊維製品の研究開発なども進められてきている。(特許文献１)
【０００４】
しかしながら、繊維製品にこのような表面処理を行いさらにセリシンタンパク質層を形成することは容易ではなく、そのためコスト高となって価格が高くなってしまう問題や商品バリエーションが少なくならざるを得なく客層を拡大することができないなどの問題があった。
【０００５】
また一方、前述のようにして工場で繊維製品にセリシンを付与させる場合、強固な結合力(強固な吸着力や強固な結合力)で繊維に付与してしまうことになるため、数回の洗濯にも耐え容易にこのセリシンが離脱することはないが、逆にそのためにセリシンにより繊維自体の機能が改善できても、繊維をまとう肌への機能効果は期待できない。
【０００６】
逆に弱い結合力で繊維に付与するとなれば、数回の洗濯でセリシンは落ちてしまい単発的な機能性繊維製品となってしまい、費用対効果はさらに劣り商品価値をさらに落としてしまうこととなる。そのため実用性に乏しくなかなか普及し得ないのが現状であった。
【先行技術文献】
【特許文献】
【０００７】
【特許文献１】特開２０１２−２６０５４号公報
【発明の概要】
【発明が解決しようとする課題】
【０００８】
本発明は、このような問題を解決するもので、洗濯後に繊維に柔軟性を付与するための柔軟剤(仕上げ剤)に着眼し、工場で繊維製品に強固にセリシンを付与するのでなく、たとえば単に洗濯後のすすぎ時に入れることで容易に洗濯済みの繊維に柔軟性のみならずセリシンを付与することができ、しかもカチオン系キトサン誘導体などのカチオン性高分子と溶液中セリシンとが静電吸着または静電付着し(いわば軽いイオン結合で結び付き)これが繊維に静電吸着または静電付着する(いわば軽いイオン結合により付着する)ことで、繊維に軽い結合力でセリシンを付与することができる構成のため、セリシンと繊維との結合(吸着)は弱く数回の洗濯に耐える程度の耐久性(機能維持性)を有しつつも適度に肌へ徐々にセリシンが離脱することで肌にセリシンを付与することができ、そのため肌へたとえば保湿効果、防臭効果などのセリシン機能を容易に付与することができ、数回の洗濯ごとに適量注ぐだけで繰り返しこのセリシン機能を繊維を介して肌に付与することができ、費用対効果も優れるなど極めて実用性に優れた画期的な柔軟剤を提供することを目的としている。
【課題を解決するための手段】
【０００９】
添付図面を参照して本発明の要旨を説明する。
【００１０】
洗濯後の繊維に柔軟性を与える柔軟剤であって、加水分解セリシンによるまたはセリシンパウダーによるセリシンと、このセリシンが静電吸着または静電付着するカチオン性高分子とが含まれている構成とされていて、洗濯後の水を含んでいる前記繊維に前記カチオン性高分子が静電吸着または静電付着することによりこのカチオン性高分子を介してこの繊維に付与されている前記セリシンが、この繊維と肌とが接触することからこの繊維から離脱して肌に付与されるように構成されていることを特徴とする柔軟剤に係るものである。
【００１１】
また負に帯電しているあるいは負の極性を有する前記セリシンが、洗濯後の水を含んでいる前記繊維に正に帯電しているもしくは正の極性を有する前記カチオン性高分子を介して、表面が負に帯電しているもしくは負の極性を有する前記繊維に付与されるように構成されていて、このセリシンは、前記繊維と肌とが接触することおよび数回の家庭での洗濯により前記繊維から離脱する程度の弱い静電吸着または静電付着で前記カチオン性高分子を介して前記繊維に付与されるように構成されていることを特徴とする請求項１記載の柔軟剤に係るものである。
【００１２】
また前記カチオン性高分子は、カチオン系キトサン誘導体であることを特徴とする請求項１、２のいずれか１項に記載の柔軟剤に係るものである。
【００１３】
また前記セリシンは、1〜３０％含まれていることを特徴とする請求項１〜３のいずれか１項に記載の柔軟剤に係るものである。
【００１４】
また柔軟効果増強のためのカチオン性油性成分が含まれていることを特徴とする請求項１〜４のいずれか１項に記載の柔軟剤に係るものである。
【００１５】
また保湿成分が含まれていることを特徴とする請求項１〜５のいずれか１項に記載の柔軟剤に係るものである。
【００１６】
また抗菌成分が含まれていることを特徴とする請求項１〜６のいずれか１項に記載の柔軟剤に係るものである。
【００１７】
また肌を修復する成分としてフィブロインが含まれていることを特徴とする請求項１〜７のいずれか１項に記載の柔軟剤に係るものである。
【発明の効果】
【００１８】
本発明は上述のように構成したから、たとえば単に洗濯後のすすぎ時に入れることで容易に洗濯済みの繊維に柔軟性のみならずセリシンを付与することができ、しかもカチオン系キトサン誘導体などのカチオン性高分子と溶液中セリシンとが静電吸着または静電付着し(いわば軽いイオン結合で結び付き)これが繊維に静電吸着または静電付着する(いわば軽いイオン結合により付着する)ことで、繊維に軽い結合力でセリシンを付与することができる構成のため、セリシンと繊維との結合(吸着)は弱く数回の洗濯に耐える程度の耐久性(機能維持性)を有しつつも適度に肌へ徐々にセリシンが離脱することで肌にセリシンを付与することができ、そのため肌へたとえば保湿効果、防臭効果などのセリシン機能を容易に付与することができ、数回の洗濯ごとに適量注ぐだけで繰り返しこのセリシン機能を繊維を介して肌に付与することができ、費用対効果も優れるなど極めて実用性に優れた画期的な柔軟剤となる。
【発明を実施するための形態】
【００１９】
本発明の最適な実施形態を本発明の作用を示し簡単に説明する。
【００２０】
シルクたとえば繭から精製した加水分解セリシンと、このセリシンが静電吸着または静電付着する(いわば弱いイオン結合により付着する)カチオン性高分子(たとえばこの弱い力で加水分解セリシンと結合することになるカチオン系キトサン誘導体)とが含まれている構成とした本発明品の柔軟剤を、洗濯後の水を含んでいる繊維(洗濯する繊維製品)に付与する。たとえば洗濯後のすすぎ時にこの洗濯槽に適量注ぎ入れると、前記加水分解セリシンと結合している前記カチオン性高分子(たとえばカチオン系キトサン誘導体)が繊維に静電吸着または静電付着する(いわば弱いイオン結合により付着する)ことにより、このカチオン性高分子を介してこの繊維に前記セリシンが弱い結合力で付与される。
【００２１】
このセリシンは、このように弱い力で前記カチオン性高分子と結びつき、このカチオン性高分子も弱い力で繊維と結びついているため、このセリシンが付与された繊維が肌と接触することで、この繊維からセリシンは徐々に離脱して肌に付与されることとなる。
【００２２】
すなわち、負に帯電あるいは負の極性を有する前記セリシンが、正に帯電しているあるいは正の極性を有する前記カチオン性高分子を介して表面が負に帯電しているあるいは負の極性を有する前記繊維に容易に付与できることとなる。
【００２３】
しかもこのセリシンは、前述のように前記繊維および前記カチオン性高分子との結びつきが弱いため(弱い力、いわば弱いイオン結合で結びついて付着しているため)、数回の洗濯で落ちてしまうがこの間繊維と肌とが接触することで、この繊維から徐々に離脱し肌にセリシンを付与できることとなる。
【００２４】
そのため、肌へたとえば保湿効果、防臭効果などを与えるセリシン機能を、繊維と接触する肌に容易に付与することができることとなる。
【００２５】
したがって、たとえば数回の洗濯ごとに適量注ぐだけで、繊維の柔軟性を繰り返し高めることができるあるいは肌触りを向上できるだけでなく、繰り返しこのセリシン機能(新機能)を繊維を介して肌に付与することができ、費用対効果も極めて優れる柔軟剤となるものである。
【実施例１】
【００２６】
本発明の具体的な実施例１について説明する。
【００２７】
本実施例では、加水分解セリシンと、このセリシンが静電吸着または静電付着するカチオン性高分子とを含む構成としている。
【００２８】
具体的には、たとえば下着や靴下、タオルなどの肌に触れるあるいは肌に直接まとう繊維製品に、水1000に対して本発明品の柔軟剤１程度の割合で水に希釈させて繊維に付与してセリシンを付与させるもので、たとえばこのような繊維製品を家庭の洗濯時や洗濯業者による洗濯時の洗濯後(たとえば洗濯後のすすぎ時の洗濯槽内)に本発明品(柔軟剤)を適量注ぎ入れると、負に帯電しているあるいは負の極性を有する前記加水分解セリシンが、正に帯電しているもしくは正の極性を有する前記カチオン性高分子を介して、表面が負に帯電しているもしくは負の極性を有する前記繊維に付与される構成としている。
【００２９】
すなわち、前記加水分解セリシンとコンプレックスを作り結合している前記カチオン性高分子が繊維に静電吸着または静電付着する(いわば弱いイオン結合により付着する)ことにより、このカチオン性高分子を介してこの繊維に前記セリシンが弱い結合力で付与される構成としている。
【００３０】
したがって、このセリシンは、このように弱い力で前記カチオン性高分子と結びつき、このカチオン性高分子も弱い力で繊維と結びついているため、このセリシンが付与された繊維が肌と接触することでこの繊維からセリシンが徐々に離脱して肌に付与される(少しずつセリシンが肌へ刷り込まれていく)こととなる構成としている。
【００３１】
また、本実施例では、繊維表面にこのように加水分解セリシンとカチオン性高分子が付与されることで表面の摩擦抵抗が少なくなり柔軟性を帯び柔軟効果が発揮されるが、この繊維の柔軟効果を増強するため、さらにカチオン性油性分を加えている。また一般の柔軟剤のようにカチオン系界面活性剤を加えてもよい。
【００３２】
また本実施例では、前述のように前記繊維と肌が接触することでセリシンが徐々に離脱してセリシンが少しずつ肌へ刷り込まれていく程度の弱い結合力で、あるいはたとえば数回の洗濯により前記繊維からセリシンがほぼ完全に離脱してしまう程度の弱い結合力で(静電吸着または静電付着で)前記カチオン性高分子を介して前記繊維に付与される構成としている。
【００３３】
具体的には毎回の洗濯時ではなく３回に１回くらいの割合で洗濯時に通常の柔軟剤と同じようにして、自動洗濯機の柔軟剤を自動注入させるための柔軟剤収容ボックスに適量収納してすすぎ時の洗濯槽に自動投入させる柔軟剤であり、前記弱い結合力による付着のため数回の洗濯で落ちてしまうがそれまでの間この繊維製品を着ていることで(この繊維と肌とが接触することで)、この繊維から徐々にセリシンが離脱し肌にセリシンが徐々に付与されるように構成し、たとえば肌のうるおいを保つ保湿効果、抗酸化作用により黄色ブドウ球菌の繁殖を抑え汗の匂いを出さず汗疹を抑え肌を清潔に保つ防臭効果などを与えるセリシン機能を、繊維と接触する肌に付与することができる新機能を発揮する柔軟剤に構成している。
【００３４】
したがって、たとえば数回の洗濯ごとに適量注ぐだけで、繊維の柔軟性を繰り返し高めることができる(肌触りを向上させることができる)だけでなく、繰り返しこのセリシン機能(新機能)を、繊維を介して肌に付与することができる柔軟剤となる。
【００３５】
また本実施例では、このような画期的な作用効果、すなわち簡易な手法で(たとえば各家庭で洗濯時に用いるだけで)繊維に付与でき、且つあえて適度に弱い結合力で繊維に付与させることで適度に(少しずつ徐々に)離脱させて肌にセリシンを持続的に付与して、このセリシンによる保湿効果や抗酸化作用による防臭効果などの機能を肌に与えることができる画期的な新機能柔軟剤を実現できる(弱い結合でのセリシン付与を実現できる)ものである。
【００３６】
本実施例は、このような柔軟剤を実現できる前記カチオン性高分子を見出したものであるが、さらに実験を繰り返すことで、この作用効果を果たすものとしてカチオン性高分子のなかで、被覆系製で保湿効果、柔軟効果などに優れ、加水分解セリシンとコンプレックスを作り前述した弱い結合力で繊維にセリシンを付着させることに優れたカチオン系キトサン誘導体を見出し、これと加水分解セリシンとをダブル配合する構成としている。
【００３７】
すなわち、天然保湿素材である加水分解セリシンとカチオン系キトサン誘導体とのダブル配合により実現したもので、衣類をしっとり柔らかくシルクタッチの風合いに近づける(肌への摩擦を軽減し滑らかな肌触りに仕上げる)ととともに、着ながらにして徐々にセリシンを肌に刷り込ませて肌の保湿効果や防臭効果などのセリシン機能を付与できるように構成したものである。単にセリシンを付与したのでは１回の洗濯程度ですぐに落ちてしまうが、カチオン系キトサン誘導体とのダブル配合で適度に繊維からセリシンが落ちて着ているだけでセリシンが肌へ少しずつ刷り込まれて、保湿効果、抗菌防臭効果を肌に与えることができる新機能性柔軟剤を実現したものである。(たとえばこの本発明品の柔軟剤を使用後、この柔軟剤なしで数回洗濯しても前記作用効果が持続し、再度柔軟剤を使用すればまたこの作用効果を繰り返し継続させることができるものである。)
【００３８】
さらに具体的に説明すると、本実施例では、繭を水に入れて圧力釜で高温高圧加熱して抽出した液体状の加水分解セリシン(これを乾燥させたセリシンパウダーを溶かしたものでもよい)を、1〜３０％、カチオン系キトサン誘導体(たとえばキトサンイソステアラミドヒドロキシプロピルトリモニウムクロイド)を0.1〜5.0％含んだ構成とし、さらに柔軟性を高める前記カチオン性油性分やカチオン系界面活性剤、さらに抗菌性を高める茶カテキン、さらに保湿性を高めるグリセリンやグリコール、さらにセリシンと同様に繭や絹糸から精製され肌に徐々に刷り込まれて肌に肌修復効果を付与するフィブロイン(加水分解フィブロイン)を含んだ構成としている。
【００３９】
尚、本発明は、本実施例に限られるものではなく、各構成要件の具体的構成は適宜設計し得るものである。
【要約】
【課題】洗濯後の繊維にカチオン性高分子を介してこの繊維に付与されているセリシンが、この繊維と肌とが接触することからこの繊維から離脱して肌に少しずつ付与されることで、肌へたとえば保湿効果、防臭効果などのセリシン機能を容易に付与することができ極めて実用性に優れた画期的な柔軟剤を提供すること。
【解決手段】加水分解セリシンと、このセリシンが静電吸着または静電付着するカチオン性高分子(カチオン系キトサン誘導体)とが含まれている柔軟剤。
【選択図】なし